(57)【要約】【課題】コンパクトに折り畳むことが容易にでき、折り畳んだ状態で自立することが可能なスーツケースを提供する。【解決手段】スーツケース１は、第１の収納部１０と、第２の収納部２０と、第１の収納部と第２の収納部とを連結し、折り畳み可能な連結部３０と、第２の収納部に開閉可能で設けられた開閉部４０と、第２の収納部の底部に設けられた突起部５０とを具備する。【選択図】図１
0003235393.tif 000002
【実用新案登録請求の範囲】
【請求項１】
第１の収納部と、
第２の収納部と、
前記第１の収納部と前記第２の収納部とを連結し、折り畳み可能な連結部と、
前記第２の収納部に開閉可能で設けられた開閉部と、
前記第２の収納部の底部に設けられた突起部と
を具備することを特徴とするスーツケース。
【請求項２】
前記第２の収納部と前記開閉部との間に設けられ、取り外し可能な仕切り板と
をさらに具備することを特徴とする請求項１に記載のスーツケース。
【考案の詳細な説明】
【技術分野】
【０００１】
本考案は、折り畳み可能なスーツケースに関する。
【背景技術】
【０００２】
スーツケースは、旅行時等における多くの荷物を収納でき、容易に持ち運びができる。その一方、スーツケースは、大きく場所を取り、不使用時の保管場所の確保が課題となっている。
【０００３】
そこで、例えば、特許文献１及び２のような折り畳み式のスーツケースが提案されている。特許文献１のスーツケースでは、複数のパネルの接続を解除し、扁平状に折り畳むことができる。特許文献２のスーツケースでは、スーツケースの上カバーと下カバーの連結部をジャバラ構造又はスライド構造にすることで、未使用時にスペースを取らずに収納することができる。
【先行技術文献】
【特許文献】
【０００４】
【特許文献１】特表２０２１−５０５２１３号公報
【特許文献２】特開２０１４−２００６１０号公報
【考案の概要】
【考案が解決しようとする課題】
【０００５】
しかしながら、特許文献１のスーツケースでは、折り畳み方法が複雑であり、手軽に畳みにくく、折り畳んだ状態で自立させることも難しい。また、特許文献２のスーツケースでは、容易に折り畳むことができ、折り畳んだ状態で自立も可能であるが、キャスターを４つ配置することで畳んだ状態のコンパクトさに欠ける。
そこで、本考案は、コンパクトに折り畳むことが容易にでき、折り畳んだ状態で自立することが可能なスーツケースを提供する。
【課題を解決するための手段】
【０００６】
本考案の一態様によるスーツケースは、第１の収納部と、第２の収納部と、前記第１の収納部と前記第２の収納部とを連結し、折り畳み可能な連結部と、前記第２の収納部に開閉可能で設けられた開閉部と、前記第２の収納部の底部に設けられた突起部とを具備する。
【０００７】
前記スーツケースにおいて、前記第２の収納部と前記開閉部との間に設けられ、取り外し可能な仕切り板とをさらに具備してもよい。
【考案の効果】
【０００８】
本考案は、コンパクトに折り畳むことが容易にでき、折り畳んだ状態で自立することが可能なスーツケースを提供することができる。
【図面の簡単な説明】
【０００９】
【図１】図１は、本考案の一実施形態に係るスーツケースの斜視図を示す。
【図２】図２（ａ）乃至（ｃ）は、本考案の一実施形態に係るスーツケースの前面図、側面図及び背面図を示す。
【図３】図３（ａ）及び（ｂ）は、本考案の一実施形態に係るスーツケースの突起部を説明するための図を示す。
【図４】図４（ａ）及び（ｂ）は、本考案の一実施形態に係るスーツケースの折り畳み前後の側面図及び斜視図を示す。
【図５】図５は、本考案の一実施形態に係るスーツケースの開閉部を開いた状態の斜視図を示す。
【図６】図６は、本考案の一実施形態に係るスーツケースの開閉部を開いた状態の斜視図を示す。
【図７】図７は、本考案の一実施形態に係るスーツケースの他の開閉方法による開いた状態の斜視図を示す。
【考案を実施するための形態】
【００１０】
以下、実施形態について、図面を参照して説明する。尚、以下の説明において、同一の機能及び構成を有する要素については、共通する参照符号を付す。
【００１１】
［１］スーツケース
図１は、本考案の一実施形態に係るスーツケースの斜視図を示す。図２（ａ）乃至（ｃ）は、本考案の一実施形態に係るスーツケースの前面図、側面図及び背面図を示す。以下、本実施形態に係るスーツケースの構成について説明する。
【００１２】
図１、図２（ａ）乃至（ｃ）に示すように、本考案の一実施形態に係るスーツケース１は、第１の収納部１０、第２の収納部２０、連結部３０、開閉部４０、突起部５０、キャスター６０、キャリーハンドル７０、トップハンドル８０を備えている。尚、スーツケース１の部品については、図示する部品に限定されず、適宜追加、変更等が可能である。
【００１３】
第１の収納部１０及び第２の収納部２０は、箱状の形状を有している。第１の収納部１０及び第２の収納部２０は、金属製、プラスチック製、布製等で形成されている。第１の収納部１０及び第２の収納部２０が金属製の場合、例えば、それぞれ一枚のアルミニウムを含む金属（例えば、アルミニウム、アルミニウム合金等）板からなり、プレスにより所望の形状に形成されている。第１の収納部１０及び第２の収納部２０がプラスチック製の場合、例えば、ABS樹脂やポリカーボネート等からなる。但し、第１の収納部１０及び第２の収納部２０の形状、素材等については、種々変更可能である。
【００１４】
連結部３０は、第１の収納部１０及び第２の収納部２０の側面の周囲を囲むように設けられている。連結部３０と第１の収納部１０の境界部分、連結部３０と第２の収納部２０の境界部分は、固定されている。但し、これらの境界部分は、例えばファスナー等を用いて、開閉可能な状態で連結することも可能である（図７参照）。連結部３０は、例えば、ポリエステル生地等のような防水性のある折り畳み可能な材質で形成されている。
【００１５】
連結部３０は、ファスナー３１とポケット３２を有している。ファスナー３１は、連結部３０の側面を一周するように設けられている。このファスナー３１を開閉することによって、第１の収納部１０及び第２の収納部２０が接するように近づけることが可能である。ポケット３２は、連結部３０の側面に設けられ、例えばファスナー等により開閉可能になっている。
【００１６】
開閉部４０は、第２の収納部１０にファスナー４１により開閉可能な状態で取り付けられている。開閉部４０は、第２の収納部１０より小さく形成されている。開閉部４０の材質は、第１の収納部１０及び第２の収納部２０と同じであっても異なってもよい。
【００１７】
突起部５０は、第２の収納部１０の底面の中央に１つ設けられている。突起部５０は、例えば、プラスチック等で形成されている。突起部５０の詳細は後述する。
【００１８】
キャスター６０は、第１の収納部１０の底面に２個取り付けられている。キャスター６０が回転することで、スーツケース１を容易に移動させることができる。本実施形態は、１つのスーツケース１に対してキャスター６０が２個設けられた２輪キャスタータイプであり、第２の収納部２０側にキャスター６０を設けないことで、さらにコンパクト化を図っている。但し、本実施形態は、スーツケース１の第２の収納部２０側にキャスター６０を設けた４輪キャスタータイプにすることも可能である。
【００１９】
キャリーハンドル７０は、第１の収納部１０に取り付けられ、上下に伸縮可能なパイプを有している。トップハンドル８０は、連結部３０の上面上に取り付けられている。
【００２０】
［２］突起部
図３（ａ）及び（ｂ）は、本考案の一実施形態に係るスーツケースの突起部を説明するための図を示す。図３（ａ）は、本実施形態に係るスーツケースを折り畳んだ状態において、自立していることを示す。図３（ｂ）、本実施形態に係るスーツケースの突起部の拡大図を示す。以下、本実施形態に係るスーツケースの突起部について説明する。
【００２１】
図３（ａ）及び（ｂ）に示すように、本実施形態の突起部５０は、第２の収納部２０の底面の中央部に設けられている。突起部５０の突出はキャスター６０の高さに対応し、スーツケース１を立たせた際に自立できるようになっている。
突起部５０は、本体部５１と凸部５２を備えている。凸部５２は、本体部５１の底面の両端にそれぞれ設けられている。
【００２２】
尚、突起部５０の位置、数、形状等は、これに限定されず、種々変更可能である。例えば、突起部５０は、複数個設けてもよい。突起部５０が２つからなる場合、第２の収納部２０の底面の両端にそれぞれ設けられてもよい。また、突起部５０の凸部５２は無くてもよい。
【００２３】
［３］折り畳み方法
図４（ａ）は、本考案の一実施形態に係るスーツケースの折り畳み前後の側面図を示す。図４（ｂ）は、本考案の一実施形態に係るスーツケースの折り畳み前後の斜視図を示す。以下、本実施形態に係るスーツケースの折り畳み方法について説明する。
【００２４】
図４（ａ）及び（ｂ）に示すように、ファスナー３１を第１及び第２の収納部１０及び２０の側面に沿ってスライドさせる。これにより、第１及び第２の収納部１０及び２０が徐々に近づくとともに、連結部３０が折り畳まれる。この際、連結部３０に取り付けられたトップハンドル８０及びポケット３２は、第１及び第２の収納部１０及び２０内に折り込まれる。このように、ファスナー３１が第１及び第２の収納部１０及び２０の側面を一周程度動くことで、ファスナー３１が完全に閉じ、第１及び第２の収納部１０及び２０が接するようにスーツケース１の横幅が狭くなる。
【００２５】
［４］開閉方法
図５及び図６は、本考案の一実施形態に係るスーツケースの開閉部を開いた状態の斜視図を示す。以下、本実施形態に係るスーツケースの開閉方法について説明する。
図５に示すように、本実施形態のスーツケース１では、開閉部４０のファスナー４１をスライドさせることにより、開閉部４０を開くことができる。
【００２６】
開閉部４０は、支持部材４２で第２の収納部２０と取り付けられている。この支持部材４２によって、開閉部４０を開いた状態でも、開閉部４０が４５度程度に開いた状態を維持できる。但し、支持部材４２は、着脱部材４３を取り外すことで、開閉部４０を完全に開くことも可能である。
【００２７】
開閉部４０と第２の収納部２０との間には、仕切り板４４が設けられている。仕切り板４４は、ポケット４５を備えている。この仕切り板４４は、留め具４６によって、第２の収納部２０と取り外し可能で取り付けられている。
【００２８】
図６に示すように、仕切り板４４の留め具４６を取り外した場合、第２の収納部２０から第１の収納部1０までつながった収納領域となる。
【００２９】
尚、本実施形態のスーツケース１の開閉方法は、上述する方法に限定されない。例えば、図７に示すように、連結部３０と第２の収納部２０との境界部分にファスナー（図示せず）を設けて、第２の収納部２０を連結部３０から開いてもよい。
【００３０】
［５］効果
本実施形態に係るスーツケース１では、第１の収納部１０及び第２の収納部２０間に折り畳み可能な材質の連結部３０が設けられている。これにより、連結部３０のファスナー３１を側面に沿ってスライドさせることで、スーツケース１をコンパクトかつ容易に折り畳むことができる。従って、スーツケース１の広い保管場所が不要となる。
【００３１】
本実施形態に係るスーツケース１では、２輪キャスタータイプであるが、第２の収納部２０の底面に突起部５０が設けられている。このため、この突起部５０とキャスター６０でバランスを取ることができるため、スーツケース１を折り畳んだ状態であっても、スーツケース１を自立させることができる。これにより、折り畳んだ状態のスーツケース１の保管のし易さが向上できる。
【００３２】
尚、本考案の実施形態を説明したが、この実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。
【符号の説明】
【００３３】
１…スーツケース
１０…第１の収納部
２０…第２の収納部
３０…連結部
３１…ファスナー
３２…ポケット
４０…開閉部
４１…ファスナー
４２…支持部材
４３…着脱部材
４４…仕切り板
４５…ポケット
４６…留め具
４７…固定ベルト
５０…突起部
５１…本体部
５０…凸部
６０…キャスター
７０…キャリーハンドル
８０…トップハンドル
【図１】
0003235393.tif 000003
【図２】
0003235393.tif 000004
【図３】
0003235393.tif 000005
【図４】
0003235393.tif 000006
【図５】
0003235393.tif 000007
【図６】
0003235393.tif 000008
【図７】
0003235393.tif 000009